(57)【特許請求の範囲】
【請求項１】
床面を形成する天板部、及びこの天板部の四隅部に天板部と一体に設けられた脚部からなるフロア部材と、
底板部、及びこの底板部の両側から上方に向けて形成される側板部からなる断面コの字状の床ダクト材と、を有するフロアの空調構造であって、
上記床ダクト材の底板部に、上記フロア部材の脚部が挿通する脚孔部を設け、
上記床ダクト材を室内の床基礎面から所定の高さ位置に配設し、この床ダクト材の底板部と上記床基礎面との間に空間部を形成し、
上記床基礎面上に、上記フロア部材を縦方向及び横方向に並べて設置するとともに、上記床ダクト材が配置された個所に上記フロア部材を設置する際には、このフロア部材の脚部を上記床ダクト材の脚孔部の上部から挿通させて床基礎面に設置し、
上記床ダクト材の底板部、両側板部及びフロア部材の天板部の４面で囲まれた流通空間部を形成し、
上記床ダクト材による上記流通空間部に空調空気を導入して空調を行うことを特徴とするフロアの空調構造。
【請求項２】
床面を形成する天板部、及びこの天板部の四隅部に設けられた脚部からなるフロア部材と、
底板部、及びこの底板部の両側から上方に向けて形成される側板部からなる断面コの字状の床ダクト材と、を有するフロアの空調構造であって、
上記床ダクト材の底板部に、上記フロア部材の脚部が挿通する脚孔部を設け、
上記床ダクト材を室内の床基礎面から所定の高さ位置に配設し、この床ダクト材の底板部と上記床基礎面との間に空間部を形成し、
上記床基礎面上に、上記フロア部材を縦方向及び横方向に並べて設置するとともに、上記床ダクト材が配置された個所に上記フロア部材を設置する際には、このフロア部材の脚部を上記床ダクト材の脚孔部に挿通させて床基礎面に設置し、
上記床ダクト材に空調空気を導入して空調を行い、
上記床ダクト材の底板部又は／及び側板部に、上記空調空気が通過する空気孔部を設け、この空調空気を床下空間に流通させることを特徴とするフロアの空調構造。
【請求項３】
床面を形成する天板部、及びこの天板部の四隅部に設けられた脚部からなるフロア部材と、
底板部、及びこの底板部の両側から上方に向けて形成される側板部からなる断面コの字状の床ダクト材と、を有するフロアの空調構造であって、
上記床ダクト材の底板部に、上記フロア部材の脚部が挿通する脚孔部を設け、
上記床ダクト材の底板部の裏面に台部材を取り付け、この床ダクト材を上記床基礎面に設置し、
上記床ダクト材を室内の床基礎面から所定の高さ位置に配設し、この床ダクト材の底板部と上記床基礎面との間に空間部を形成し、
上記床基礎面上に、上記フロア部材を縦方向及び横方向に並べて設置するとともに、上記床ダクト材が配置された個所に上記フロア部材を設置する際には、このフロア部材の脚部を上記床ダクト材の脚孔部に挿通させて床基礎面に設置し、
上記床ダクト材に空調空気を導入して空調を行うことを特徴とするフロアの空調構造。
【請求項４】
上記床ダクト材を一又は同一複数の区画の大きさとし、各区画に対応して上記フロア部材を配置することを特徴とする請求項１乃至３の何れかに記載のフロアの空調構造。
【請求項５】
上記床ダクト材の成形により得られ、空調空気を分岐するＴ型床ダクト材、又は／及び空調空気を方向転換するＬ型床ダクト材を、上記基礎床面に配置したことを特徴とする請求項１乃至４の何れかに記載のフロアの空調構造。
【発明の詳細な説明】
【技術分野】
【０００１】
本発明は、床下空間に空調空気を供給して室内の空調を行うフロアの空調構造に関する。
【背景技術】
【０００２】
近年、床下から床面を温め（或いは冷却）、床面からの輻射熱（冷輻射）により室内の空調を行う輻射空調が行われている。この空調構造は、例えば床下に配置したダクト等により空調空気を床下に送り、床面を温めその輻射熱等を利用し、さらには空調空気の一部を室内にも送って室内の空調を行うものである。
【０００３】
上記空調構造に関し、本願出願人は先に特許文献１に係る体育施設用空調構造を開示した。これは図１６に示すように、建物の床スラブに支持脚６０、大引６１及び根太６２を配置し、この根太６２に敷設した床面材６３の下方に空調空気を流通させる第一のダクトを配置し、また大引６１間にわたり、床面材６３の下方を覆う断熱シート６４を配置して床面材６３との間に第二のダクト６６を形成し、第一のダクトの所定間隔位置から第二のダクト６６に空調空気を送風し、この第二のダクト６６を通過する空調用空気により床面材６３の温度を調整し、床面からの輻射作用により室内の空調を行なうものである。
【０００４】
また、特許文献２に記載の冷暖房システムは、熱媒体を拡散させて広範囲に熱を供給する噴流ノズルを用い、この噴射ノズルの上部の円錐状の変換部材が冷暖房室の区画面（裏面）に接触するように配置することで、区画面に沿って熱媒体が拡散していって効率よく冷暖房室の区画面に熱を伝達することができるというものである。
【０００５】
特許文献３には、二重床による床吹き出し空調システムに関し、床パネル一体型ダクト部材の記載があり、このダクト部材は、冷気吹き出しの孔部を有する床パネルと下側パネルとを支持する支持部材とを備え、床パネルと下側パネル間に気流流路を形成し、またその全体高さは躯体スラブ面との間に十分な空間を確保する高さに構成されているというものである。
【先行技術文献】
【特許文献】
【０００６】
【特許文献１】特開２０１０−９６４２０号公報
【特許文献２】特開２００８−２９２０７１号公報
【特許文献３】特開２０１０−１３３６３７号公報
【発明の概要】
【発明が解決しようとする課題】
【０００７】
さて、比較的床下が狭い床下空調を行う場合、特許文献１の空調構造では、断熱シートの配置が困難であり、また床下空間が狭いため断熱シートの効果が十分に得られないという問題がある。また、特許文献２の噴流ノズルを用いる構造についても、噴流ノズルの高さの関係上ある程度の高さの空間を必要とするため、床下空間が狭い場所には適さない。また、引用文献３の空調システムについては、床パネルとダクト部材とが一体に形成された構造であるため、ダクト部材及び床パネルの形状に制約があり、また部品の数も多いという問題がある。
【０００８】
本発明は上記問題点を解決するためになされたものであり、床下空間が比較的狭くても、効率よくフロアの空調が行え、また施工性及び経済性にも優れたフロアの空調構造を提供することを課題とする。
【課題を解決するための手段】
【０００９】
以上の技術的課題を解決するため、本発明に係るフロアの空調構造は、図１等に示すように、床面３３を形成する天板部２４、及びこの天板部の四隅部に設けられた脚部４からなるフロア部材６と、底板部８、及びこの底板部８の両側から上方に向けて形成される側板部１０からなる断面コの字状の床ダクト材２，２２，４２と、を有するフロアの空調構造であって、上記床ダクト材２，２２，４２の底板部８に、上記フロア部材６の脚部４が挿通する脚孔部１４を設け、上記床ダクト材２，２２，４２を室内の床基礎面３０から所定の高さ位置に配設し、この床ダクト材の底板部８と上記床基礎面３０との間に空間部１３を形成し、上記床基礎面３０上に、上記フロア部材６を縦方向及び横方向に並べて設置するとともに、上記床ダクト材が配置された個所に上記フロア部材６を設置する際には、このフロア部材６の脚部４を上記床ダクト材２，２２，４２の脚孔部１４に挿通させて床基礎面３０に設置し、上記床ダクト材に空調空気を導入して空調を行う構成である。
【００１０】
本発明に係るフロアの空調構造は、上記床ダクト材の底板部８又は／及び側板部１０に、上記空調空気が通過する空気孔部１６を設け、この空調空気を床下空間に流通させる構成である。
【００１１】
本発明に係るフロアの空調構造は、上記床ダクト材を一又は同一複数の区画７の大きさとし、各区画７に対応して上記フロア部材６を配置する構成である。
【００１２】
本発明に係るフロアの空調構造は、上記床ダクト材の成形により得られ、空調空気を分岐するＴ型床ダクト材、又は／及び空調空気を方向転換するＬ型床ダクト材を、上記基礎床面に配置した構成である。
【００１３】
本発明に係るフロアの空調構造は、上記床ダクト材の底板部８の裏面に台部材１２を取り付け、この床ダクト材を上記床基礎面３０に設置した構成である。
【発明の効果】
【００１４】
本発明に係るフロアの空調構造によれば、床ダクト材が配置された個所にフロア部材を設置する際には、このフロア部材の脚部を床ダクト材の脚孔部に挿通させて床基礎面に設置し、床ダクト材に空調空気を導入して空調を行う構成を採用したから、フロア部材と床ダクト材とが一体化されて効率的に空調空気の流通空間部を形成することができ、また床下空間が比較的狭くても効率よくフロアの空調が行え、加えて床ダクト材の下方の空間部は配線或いは空調空気の流通空間等として有効に利用でき、また床ダクト材の配置、フロア部材の設置が簡単で施工性に優れ、経済性にも優れるという効果を奏する。
【００１５】
本発明に係るフロアの空調構造によれば、床ダクト材の底板部又は／及び側板部に、空調空気が通過する空気孔部を設け、この空調空気を床下空間に流通させる構成としたから、空調空気が床下空間に広く流通し空調が効果的に行われるという効果がある。
【００１６】
本発明に係るフロアの空調構造によれば、床ダクト材を一又は同一複数の区画の大きさとし、各区画に対応してフロア部材を配置する構成としたから、施工が効率的かつ容易に行えて施工性に優れるという効果がある。
【図面の簡単な説明】
【００１７】
【図１】本発明の実施の形態に係るフロアの空調構造の説明図である。
【図２】実施の形態に係る床ダクト材を示す図で、（ａ）は平面を、（ｂ）はＡ−Ａ線断面を示す。
【図３】実施の形態に係る床ダクト材の斜視図である。
【図４】実施の形態に係り、（ａ）はＴ型床ダクト材を、（ｂ）はＬ型床ダクト材を示す図である。
【図５】他の形態に係る床ダクト材を示す図で、（ａ）は平面を、（ｂ）はＡ−Ａ線断面を示す。
【図６】他の形態に係る床ダクト材の斜視図である。
【図７】他の形態に係り、（ａ）はＴ型床ダクト材を、（ｂ）はＬ型床ダクト材を示す図である。
【図８】実施の形態に係るフロア部材を示す図である。
【図９】実施の形態に係るフロア部材の斜め下方からみた斜視図である。
【図１０】空調を行う部屋の断面を示す図である。
【図１１】実施の形態に係り、フロア部材及び床ダクト材等の配置形態を示す平面図である。
【図１２】実施の形態に係り、フロア部材及び床ダクト材の配置形態を示す側面図である。
【図１３】実施の形態に係るフロアの空調構造による部屋の温度分布を時間（３０分）毎に示した温度分布図である。
【図１４】他の実施の形態に係る床ダクト材の斜視図である。
【図１５】他の実施の形態に係り、フロア部材及び床ダクト材等の配置形態を示す平面図である。
【図１６】従来例に係る体育施設用空調構造を示す図である。
【発明を実施するための形態】
【００１８】
以下、本発明の実施の形態を図面に基づいて説明する。
図１は、実施の形態に係るフロアの空調構造を示したものである。
このフロアの空調構造は、空調空気の流通空間を形成する床ダクト材２、及び脚部４が設けられたフロア部材６を有する。
【００１９】
上記床ダクト材２は、図２，３に示すように、底板部８、及びこの底板部８の両側からそれぞれ上方に向け直角に屈曲する側板部１０からなる断面コの字状の長尺材（ここでは１ｍ）であり、底板部８の裏面部には台部材１２が取り付けられている。
【００２０】
さらに床ダクト材２の底板部８には、フロア部材６の脚部４（ここでは９本）が挿通する脚孔部１４が設けられている。またこの底板部８には空調空気が通過する空気孔部１６が設けられている。
この床ダクト材２は、上記脚孔部１４及び空気孔部１６を設けた鋼板を屈曲成形したものである。床ダクト材２のここでのサイズは、底板部８が縦横996ｍｍ×249ｍｍであり、側板部１０の高さは66ｍｍである。
【００２１】
上記床ダクト材２の底板部８は、正方形状の同一の４つの区画７に分けることができる。なお、床ダクト材の形態として、これを正方形又は矩形状の１つ又は複数（同一形状）の区画に分けられる形状とすることができる。
そして各区画７には、それぞれ隅部に４箇所、これらの各並びの中間部の４箇所、及び中央部の１箇所の計９箇所（縦横等間隔の３×３の位置）に、上記脚孔部１４（ここでは直径30ｍｍ）が形成されている。床ダクト材２の上記９箇所の脚孔部１４は、それぞれフロア部材６の９本の脚部４が挿通可能に形成（位置及び大きさ）されている。
【００２２】
また、上記底板部８の各区画７には、それぞれ各隅部と中央部の脚孔部１４との中間部（４箇所）にそれぞれ空気孔部１６が形成されている。
このように一つの床ダクト材２には、上記４つの区画７合わせると３６箇所に脚孔部１４が形成され、また１６箇所に空気孔部１６が形成されている。なお、区画７間の隣接する脚孔部１４同士の間隔は３ｍｍである。
【００２３】
上記床ダクト材２の一つにつき、上記４つの区画７に対応してフロア部材６を４個配置することができる。床ダクト材２は、直列に複数連結することで延長することができる。また、床ダクト材２を上記区画７の単位で切断して使用することができ、この区画７に応じてフロア部材６を配置する。
【００２４】
上記台部材１２は、床ダクト材２の底板部８の裏面の４箇所に取り付けられている。台部材１２は、直方体状（縦22ｍｍ、横22ｍｍ、高さ25ｍｍ）であり、その上部面には底板部８に固着させるための両面テープが貼着されている。この台部材１２は、弾性体（ここではゴム製）からなる。
【００２５】
上記台部材１２の取り付け位置は、床ダクト材２の両端部の区画において、それぞれ、各区画の中央部の脚孔部１４の左右位置（左右の脚孔部１４との間）である。床ダクト材２の施工の際には、予めその底板部８の４箇所に台部材１２を固着しておく。
この台部材１２は、床ダクト材２の底板部８を一定の高さに維持し、床基礎面３０との間に空間部１３を形成する。この空間部１３は、配線等、また空調空気を流通させるために利用する。
なお、床ダクト材２を一定の高さに維持するためには、他に、フロア部材６の脚部４に出し入れ自在な係止片等を設け、この係止片で床ダクト材２の底板部８を支持するようにしてもよい。
【００２６】
図４（ａ）は、空調空気の流通空間部９をＴ字状に分岐するためのＴ型床ダクト材１８を示したものである。このＴ型床ダクト材１８は、上記床ダクト材２をＴ型に成形したものである。ここでは、床ダクト材２を３つの区画７と１つの区画７のサイズに切断し、この３区画７の床ダクト材の中央の区画の側板部を切除し、この部位に上記切除した１つの区画７の床ダクト材の開口部を接合し、Ｔ型床ダクト材１８に成形する。
【００２７】
上記Ｔ型床ダクト材１８は４つの区画７からなり、各区画７毎の上記脚孔部１４等の位置は上記床ダクト材２と同様である。Ｔ型床ダクト材１８では、各区画毎にフロア部材６の配置が可能であり、全部で４個のフロア部材６を配置する。
このＴ型床ダクト材１８についても、底板部８に上記台部材１２を固着する。台部材１２は、Ｔ型床ダクト材１８の中央部の区画７以外の３つの区画７について、各区画７の中央部の脚孔部１４の左右位置に固着する。
【００２８】
図４（ｂ）は、空調空気の流通空間部９をＬ字状に方向転換するためのＬ型床ダクト材２０を示したものである。このＬ型床ダクト材２０は、上記床ダクト材２をＬ型に成形したものである。ここでは、床ダクト材２を２つの区画７のサイズに切断し、さらに両者をＬ状に突き合わせて重なる箇所を対角線状に切除し、これら切除した部位同士を接合してＬ型床ダクト材２０に成形する。
【００２９】
上記Ｌ型床ダクト材２０は３つの区画７からなり、各区画７毎の上記脚孔部１４等の位置は上記床ダクト材２と同様である。Ｌ型床ダクト材２０では、各区画毎にフロア部材６の配置が可能であり、全部で３個のフロア部材６を配置する。
このＬ型床ダクト材２０についても、底板部８に上記台部材１２を固着する。台部材１２は、Ｌ型床ダクト材２０の３つの区画７について、各区画７の中央部の脚孔部１４の左右位置に固着する。
【００３０】
図（５）（６）は、他の形態の床ダクト材２２を示したものである。この床ダクト材２２は、空気孔部１６の形成箇所を除き、基本的な形状、寸法については上記床ダクト材２と同様である。
この床ダクト材２２は、両側板部１０に空気孔部１６を設けている。床ダクト材２２の底板部８には、上記４区画７合わせると３６箇所に脚孔部１４が形成されている。また、この床ダクト材２２の両側板部１０には、それぞれ横一列状に空気孔部１６が８箇所形成されている。各空気孔部１６は、それぞれ各区画毎に４箇所ずつ設けられており、その位置は該当区画の中央の脚孔部１４の左右位置に該当する箇所である。
【００３１】
なお、上記床ダクト材２２（床ダクト材２）の空気孔部１６は、側板部１０と底板部８の両方に設けることとしてもよい。
また、上記空気孔部１６に替えて、底板部８の脚孔部１４を少し大きく形成し、この脚孔部１４と脚部４との間に空調空気が通過する隙間を設けることとしてもよい。
また、床ダクト材２２等同士の連結箇所に隙間（端部を切欠く等して）を設け、この隙間から空調空気を通過させるようにしてもよい。
【００３２】
図７（ａ）は、上記床ダクト材２２と関連して、空調空気をＴ字状に分岐するためのＴ型床ダクト材２１を示したものである。このＴ型床ダクト材２１は４つの区画７からなり、各区画毎の上記脚孔部１４等の位置は上記床ダクト材２２と同様であり、各区画毎に全部で４個のフロア部材６を配置する。このＴ型床ダクト材２１についても、底板部８に上記台部材１２を固着する。
【００３３】
図７（ｂ）は、空調空気をＬ字状に方向転換するためのＬ型床ダクト材２３を示したものである。このＬ型床ダクト材２３は３つの区画７からなり、各区画毎の上記脚孔部１４等の位置は上記床ダクト材２２と同様であり、各区画毎に全部で３個のフロア部材６を配置する。このＴ型床ダクト材２３についても、底板部８に上記台部材１２を固着する。
【００３４】
上記フロア部材６は、図（８）（９）に示すように、矩形状（ここでは正方形）の天板部２４、及び９本の脚部４を有している。また、フロア部材６の隣り合う脚部４間には筋状にリブ部２６が形成されている。上記リブ部２６は、各脚部４の上部と一体にまた天板部２４とも一体に形成されている。
【００３５】
フロア部材６の脚部４としては、天板部２４の四隅部から下方に向けて設けられる４本の脚部４、天板部２４の各４辺の中間部から下方に向けて設けられる４本の脚部４、及び天板部２４の中央部から下方に向けて設けられる脚部４の合計９本の脚部４を有している。
上記脚部４は、３列（縦横等間隔の３×３の位置）に９本配置された形態である。また各脚部４は、中間位置（リブ部２６の位置）より下部側は断面円形（直径30ｍｍ未満）の形状である。このフロア部材６は、ここでは天板部２４の縦横のサイズが249ｍｍ×249ｍｍであり、天板部２４を含めた高さは93ｍｍの低床を形成する床材であり、合成樹脂材の成形品である。
【００３６】
また上記フロア部材６の天板部２４の側面は、その下部の脚部（３本並設）の側面より僅かに突出しており、この段状部位に係合部２７が形成されている。また、上記床ダクト材２の各区画７は上記フロア部材６と対応しており、このためフロア部材の９本の脚部４は、床ダクト材２の１つの区画７に設けた９箇所の脚孔部１４にそれぞれ挿通可能である。
【００３７】
上記フロア部材６は、床ダクト材２の上部から、各脚部４を床ダクト材２の脚孔部１４にそれぞれ挿通させた嵌合状態で設置する。このとき、天板部２４の下部側の側面部に床ダクト材２の各側板部１０が接した状態となり、また各側板部１０の上端部は上記係合部２７に当接し係合する。
【００３８】
上記床ダクト材２（床ダクト材２２も同様）の上部にフロア部材６を設置した状態で、床ダクト材２の底板部８、両側板部１０及びフロア部材６の天板部２４の４面で囲まれた流通空間部９を形成する。
上記Ｔ型床ダクト材、Ｌ型床ダクト材の上部にフロア部材６を設置した場合についても、床ダクト材２の底板部８、側板部１０及びフロア部材６の天板部２４の４面（又は３面）で囲まれた流通空間部９を形成する。
上記流通空間部９を通過する空調空気は、その一部が床ダクト材２の空気孔部１６から外部へ吹き出される。
【００３９】
なお、上記フロア部材６の脚部４はここでは９本用いているが、これ以外に、天板部２４の隅部に４本の脚部４を設けた形態、さらに天板部２４の中央部にも脚部４を設けた５本の形態、また脚部４同士の中間部に脚部４を設けた５〜８本の形態、或いは脚部４を９本より多く設けたフロア部材の形態であっても適用可能である。その場合、このようなフロア部材の各脚部４に対応するよう、床ダクト材２の脚孔部１４の数及び位置について、各脚部４が挿通可能に形成する。
【００４０】
ここでフロアの空調構造として、上記床ダクト材２等及びフロア部材６の配置及び設置構造について説明する。なお、上記床ダクト材２２等についても同様であり、ここでの説明は省略する。
図１０に示すように上記空調構造として、空調空気を供給するため、部屋の天井裏に配置され暖房及び冷房用の空調空気を吹き出す空調機３２、空調空気を流通させる天井ダクト３４、及び壁面の裏面側に形成されたチャンバー３６を有している。このチャンバー３６は、部屋の壁面と壁基礎面との間に形成された空洞である。
【００４１】
部屋の床基礎面３０には、フロア部材６が設置されて床面３３が形成されている。また、床下部２９には、フロア部材６と床ダクト材２によって空調空気の流通空間部９が形成され、床基礎面３０と床ダクト材２間には空間部１３が形成されている。
【００４２】
図１１は、室内における上記床ダクト材２（Ｔ型床ダクト材１８及びＬ型床ダクト材２０）及びフロア部材６の配置形態の平面図を示すものである。
上記フロア部材６は、矩形状の床基礎面３０上に碁盤の目状に縦横の各方向に並べて配置される。また上記床ダクト材２、Ｔ型床ダクト材１８及びＬ型床ダクト材２０は、２つの循環経路（Ｌ）の流通空間部９を形成するよう配置され、これら循環路にはそれぞれショートカット経路（Ｓ）の流通空間部９を形成するように配置される。
上記床ダクト材２等は先に配置されるが、これらの配置位置は、後に設置されるフロア部材６の配置位置と合わせるようにする。
【００４３】
最初に、各床ダクト材２、Ｔ型床ダクト材１８及びＬ型床ダクト材２０には、予め底板部８に台部材１２を取り付けておく。そして、床基礎面３０の予め定めた上記経路（Ｌ）（Ｓ）に床ダクト材２等を配置する。床ダクト材２等は、台部材１２を床基礎面３０に固定し、側板部１０を上方に向けて設置する。
【００４４】
床ダクト材２等は、経路に応じて直線状、Ｔ字状又はＬ字状に設置する。床ダクト材２等同士は、各端部を突合させた状態で連結して流通空間部９を延設する。上記流通空間部９の経路が直線状に長い箇所は、床ダクト材２を連ねて配置する。Ｔ字路では、床ダクト材２に連ねてＴ型床ダクト材１８を配置し、分岐した先にはそれぞれ床ダクト材２等を配置する。またＬ字路では、床ダクト材２に連ねてＬ型床ダクト材２０を配置し、方向転換した先には床ダクト材２０等を配置する。上記床ダクト材２等の配置に基づいて、流通空間部９の経路が定まる。
【００４５】
そして、上記配置した床ダクト材２等の上部を含めて床基礎面３０にフロア部材６を設置する。床ダクト材２（及びＴ型床ダクト材１８、Ｌ型床ダクト材２０）の上部にフロア部材６を設置する際には、フロア部材６を床ダクト材２等の各区画７に対応させて配置し、１つの区画７に形成された９個の脚孔部１４にそれぞれフロア部材６の９本の脚部４を挿通させて床基礎面３０に立設する。
上記床ダクト材２等の上部にフロア部材６を設置すると、脚部４は脚孔部１４を挿通し、床ダクト材２等の側板部１０はフロア部材６の側面を外から覆い、また側板部１０の上部はフロア部材６の係合部２７に係合した状態となる。
【００４６】
図１２に示すように、上記床ダクト材２等の上部にフロア部材６を設置した状態では、床ダクト材２等の上部はフロア部材６の天板部２４で覆われる。これにより、床ダクト材２とフロア部材６とによって囲まれた流通空間部９が形成され、この流通空間部９が連続することで空調空気が流通する流路が形成される。
また、床ダクト材２等の底板部８と床基礎面３０との間には台部材１２の高さに相当する空間部１３が形成される。
【００４７】
上記床ダクト材２を下部に設けたフロア部材６の隣りの列等は、通常フロア部材６のみを配置した列とする。このフロア部材６のみの列（或いは箇所）は、これらフロア部材６の天板部２４と床基礎面３０との間に床下空間部３１が形成され、これら床下空間部３１には床ダクト材２等の空気孔部１６から吹き出された空調空気が流通する。
【００４８】
ここでは、床ダクト材２等による２つの循環形態の流通空間部９を形成し、当該床ダクト材２等の上部を含めて、部屋の床基礎面３０の全体にフロア部材６を碁盤の目状に配置し、床面３３を形成する。また上記流通空間部９は、部屋のチャンバー３６を設けた箇所を始点としており、これらの部位には流通空間部９がそれぞれチャンバー３６の下部と連結する連結部３５が形成され、チャンバー３６からの空調空気が各流通空間部９へ流入する。
【００４９】
部屋の空調を行なう場合、空調機３２から吹き出された空調空気は、天井ダクト３４を経由して壁裏のチャンバー３６へ流入し、このチャンバー３６を流通して床下部２９まで降下する。さらにチャンバー３６からの空調空気は、連結部３５から床ダクト材２の流通空間部９に導入される。
そして床下部２９（床下空間の空調）では、上記空調空気は流通空間部９を流通し、チャンバー３６を設けた壁面側から他方（対面側）の壁面側まで送られる。
【００５０】
また、空調空気が流通空間部９を通過する際、床ダクト材２の空気孔部１６から空調空気の一部が吹き出し、これが床ダクト材２の下側の空間部１３及びフロア部材６の床下空間部３１を流通する。
このように、上記フロアの空調構造によれば、空調空気を部屋の床下部２９の全体にわたって流通させることができ、床面３３を形成するフロア部材６の天板部２４を温める（又は冷却する）。暖房の場合には、空調機３２から暖房用の暖かい空調空気を吹き出し、冷房の場合は空調機３２から冷たい空調空気を吹き出す。
【００５１】
床下空間部３１を流通する空調空気は、やがてチャンバー３６の対面側の壁面近傍の床面３３に設けられた空気孔部（図示せず）から部屋内に流れ込み、部屋内の空調（対流）を行い、さらに天井に設けられた空気孔部（図示せず）から天井裏の空間部に流入し、上記空調機３２に吸い込まれ、空調空気の循環が行われる。
そして、室内においては、床面３３の上部には必要に応じてカーペット等を敷設し、床面３３からの輻射空調が行われる。
【００５２】
図１３は、上記フロアの空調構造による部屋の床面における温度を時間（３０分）毎に示した温度分布図である。上記温度分布図において、黒く（濃く）表示されている部分は温度が高く（暖房に適した温度）、このような温度が高い部分が時間とともに次第に床面全体に広がっている。ここでは、空調開始から１時間程度で床面の略全域の温度が高くなり、空調空気の流通が効果的に行われていることが示されている。
上記フロアの空調構造は、公共施設、オフィス、店舗、さらには住宅など幅広い適用が可能である。
【００５３】
従って、上記実施の形態によれば、フロア部材と床ダクト材とが一体化されて効率的に流通空間部を形成することができ、また床下空間が比較的狭くても効率よくフロアの空調が行える。加えて、空調空気を部屋の床下部の全体にわたって流通させることができて空調が良好に行え、また床ダクト材の下方の空間部は配線或いは空調空気の流通空間等として有効に利用できる。さらに、床ダクト材の配置、フロア部材の設置が簡単で施工性に優れ、各部材の製造も容易であり経済性にも優れるという効果がある。
【００５４】
次に、他の実施の形態に係るフロアの空調構造について説明する。この実施形態では、上記実施形態と同様の構成については同一の符号を付して詳細な説明は省略する。
上記実施形態では、床ダクト材２等に空気孔部１６等を設けたが、この実施の形態では空気孔部１６を設けない床ダクト材４２を用いる。
図１４は、上記床ダクト材４２を示したものである。この床ダクト材４２についても、底板部８及び側板部１０からなる断面コの字状の長尺材であり、底板部８の裏面部には台部材１２が取り付けられている。また床ダクト材４２の底板部８には、上記フロア部材６の脚部４（ここでは９本）が挿通する脚孔部１４（３６箇所）が設けられている。
【００５５】
床ダクト材４２の底板部８は、正方形状の４つの区画７に分けることができ、各区画７には、それぞれ隅部に４箇所、これらの各並びの中間部の４箇所、及び中央部の１箇所の計９箇所に脚孔部１４が形成されている。
この床ダクト材４２に関連して、空調空気をＴ字状に分岐し４つの区画からなるＴ型床ダクト材４４、及び空調空気をＬ字状に方向転換し３つの区画からなるＬ型床ダクト材４６を形成する。
【００５６】
上記床ダクト材４２についても、上記フロア部材６を床ダクト材４２の各区画７に対応させて配置し、１つの区画７に形成された９個の脚孔部１４にそれぞれフロア部材６の９本の脚部４を挿通させて床基礎面３０に立設する。これにより、床ダクト材４２の底板部８、両側板部１０及びフロア部材６の天板部２４の４面で囲まれた流通空間部９が形成される。
【００５７】
図１５は、室内における上記床ダクト材４２（Ｔ型床ダクト材４４及びＬ型床ダクト材４６）及びフロア部材６の配置形態の平面図を示すものである。この床ダクト材４２を用いた場合には、放射状に流通空間部９を形成し、流通空間部９自体の端部から空調空気を床下空間部３１に吹き出すようにする。
【００５８】
部屋の空調を行なう場合、空調空気は床下部２９（床下空間の空調）の流通空間部９を流通し、チャンバー３６を設けた壁面側から他方（対面側）の壁面側まで送られる。そして、流通空間部９の先端部から空調空気が床下空間部３１に吹き出され、また流通空間部９の途中から分岐したＴ型床ダクト材４４、或いはＬ型床ダクト材４６の端部からも空調空気が床下空間部３１に吹き出される。また、空調空気は循環使用される。
【００５９】
このフロアの空調構造においても、空調空気を部屋の床下部２９の全体にわたって流通させることができ、床面３３を形成するフロア部材６の天板部２４を温める（又は冷却する）。そして、室内においては床面からの輻射空調が行われる。
したがってこの実施の形態においても、フロア部材と床ダクト材とが一体化されて効率的に流通空間部を形成することができ、また床下空間が比較的狭くても効率よくフロアの空調が行える等、上記実施の形態と同様な効果が得られる。
【符号の説明】
【００６０】
２  床ダクト材
４  脚部
６  フロア部材
７  区画
８  底板部
９  流通空間部
１０  側板部
１２  台部材
１３  空間部
１４  脚孔部
１６  空気孔部
２４  天板部
３０  床基礎面
３３  床面
【図１】
0005981168.tif 000002
【図２】
0005981168.tif 000003
【図３】
0005981168.tif 000004
【図４】
0005981168.tif 000005
【図５】
0005981168.tif 000006
【図６】
0005981168.tif 000007
【図７】
0005981168.tif 000008
【図８】
0005981168.tif 000009
【図９】
0005981168.tif 000010
【図１０】
0005981168.tif 000011
【図１１】
0005981168.tif 000012
【図１２】
0005981168.tif 000013
【図１４】
0005981168.tif 000014
【図１５】
0005981168.tif 000015
【図１６】
0005981168.tif 000016
【図１３】
0005981168.tif 000017